(57)【特許請求の範囲】
【請求項１】
支柱の上端に連設される左右の天板受け部材に天板の左右両側縁の下面を添設させて支持するようにしたものであって、
天板受け部材の後方にオプション取付用の支持体を配設し、この支持体と前記天板受け部材との間に配線空間を形成してなり、前記支柱を中空剛体とし、この支柱の背壁内面に取付板を剛接して、この取付板に支持体の基端を連結しているとともに、
支柱を、内面側に開口しその開口部に内向折曲片を有してなる外折曲部材と、面板部の両縁に外向折曲片を有しその外向折曲片を前記内向折曲片の内面側に剛接してなる内折曲部材とを具備してなるものにし、これら外折曲部材の内向折曲片と内折曲部材の面板部との間に上下方向に延びる配線挿通用の凹部を形成してなることを特徴とする机。
【請求項２】
支柱の上端に連設される左右の天板受け部材に天板の左右両側縁の下面を添設させて支持するようにしたものであって、
天板受け部材の後方にオプション取付用の支持体を配設し、この支持体と前記天板受け部材との間に配線空間を形成してなり、前記支柱を中空剛体とし、前記天板受け部材の後端部を支柱に嵌入して背壁内面に添設させ、その後端部に支柱の背壁を貫通して支持体の基端を連結していることを特徴とする机。
【請求項３】
支柱の上端に連設される左右の天板受け部材に天板の左右両側縁の下面を添設させて支持するようにしたものであって、
天板受け部材の後方にオプション取付用の支持体を配設し、この支持体と前記天板受け部材との間に配線空間を形成してなり、前記天板受け部材の後端部を支柱の背壁の外面に沿って垂下させ、その後端部に支持体を一体成形により連設していることを特徴とする机。
【請求項４】
支柱を、内面側に開口しその開口部に内向折曲片を有してなる外折曲部材と、面板部の両縁に外向折曲片を有しその外向折曲片を前記内向折曲片の内面側に剛接してなる内折曲部材とを具備してなるものにし、これら外折曲部材の内向折曲片と内折曲部材の面板部との間に上下方向に延びる配線挿通用の凹部を形成してなることを特徴とする請求項２又は３記載の机。
【発明の詳細な説明】
【０００１】
【発明の属する技術分野】
本発明は、構造体として極力シンプルな構成を採用することにより使い勝手を有効に向上させた机に関するものである。
【０００２】
【従来の技術】
一般的な机は、支柱の上端に連設される左右の天板受け部材に天板の左右両側縁の下面を添設させて支持することにより構成される。そして、構造体としての強度を得るために、左右の支柱の後端間を連結杆を介して連結するだけでなく、前記後端間を目隠しを兼ねるアウターパネルで連結することによって補強し、さらに左右の天板受け部材の間をその上に載置した天板によって連結しているのが通例である。
【０００３】
【発明が解決しようとする課題】
ところが、このような構造の机であると、下肢空間を広くとりたい場合や、天板の取付位置を選択的に取り替えたい等の要望がある場合にも、構造体としての役割を担うアウターパネルを取り去ることはできず、天板も着脱可能程度の取付構造では強度不足を補えないため、かかる要望に有効に応えることができないという問題がある。
【０００４】
さらに、前記天板受け部材の後方にオプション取付用の支持体を配設し、この支持体と前記天板受け部材との間に配線空間を形成している机があるが、この場合には、支持体を介して支柱に高荷重が大きな回動モーメントになって作用するという問題がある。
【０００５】
【課題を解決するための手段】
上記の不具合を解消するために、本発明は、天板受け部材の後方にオプション取付用の支持体を配設し、この支持体と前記天板受け部材との間に配線空間を形成してなる場合に、支持体に作用する荷重を有効に支持できる机を提供しようとするものである。
【０００６】
【発明の実施の形態】
すなわち、本発明の机の一つは、支柱の上端に連設される左右の天板受け部材に天板の左右両側縁の下面を添設させて支持するようにしたものであって、天板受け部材の後方にオプション取付用の支持体を配設し、この支持体と前記天板受け部材との間に配線空間を形成してなり、前記支柱を中空剛体とし、この支柱の背壁内面に取付板を剛接して、この取付板に支持体の基端を連結しているとともに、支柱を、内面側に開口しその開口部に内向折曲片を有してなる外折曲部材と、面板部の両縁に外向折曲片を有しその外向折曲片を前記内向折曲片の内面側に剛接してなる内折曲部材とを具備してなるものにし、これら外折曲部材の内向折曲片と内折曲部材の面板部との間に上下方向に延びる配線挿通用の凹部を形成してなることを特徴とする。
【０００７】
このような構成のものであると、天板受け部材の後方にオプション取付用の支持体を配設し、この支持体と前記天板受け部材との間に配線空間を形成してなる場合に、支持体に作用する荷重を有効に支持することができる。さらに、支持体を介して棚等のオプション部材を的確に支持することが可能となる。
【０００８】
さらに、支柱を、内面側に開口しその開口部に内向折曲片を有してなる外折曲部材と、面板部の両縁に外向折曲片を有しその外向折曲片を前記内向折曲片の内面側に剛接してなる内折曲部材とから構成し、これら外折曲部材の内向折曲片と内折曲部材の面板部との間に上下方向に延びる配線挿通用の凹部を形成しいるので、必要な強度を損なうことなく簡単、安価に構成し、同時に付加価値も高めることができる。
【０００９】
一方、本発明の机の他の一つは、支柱の上端に連設される左右の天板受け部材に天板の左右両側縁の下面を添設させて支持するようにしたものであって、天板受け部材の後方にオプション取付用の支持体を配設し、この支持体と前記天板受け部材との間に配線空間を形成してなり、前記支柱を中空剛体とし、前記天板受け部材の後端部を支柱に嵌入して背壁内面に添設させ、その後端部に支柱の背壁を貫通して支持体の基端を連結していることを特徴とする。
また、本発明の机のさらに他の一つは、支柱の上端に連設される左右の天板受け部材に天板の左右両側縁の下面を添設させて支持するようにしたものであって、天板受け部材の後方にオプション取付用の支持体を配設し、この支持体と前記天板受け部材との間に配線空間を形成してなり、前記天板受け部材の後端部を支柱の背壁の外面に沿って垂下させ、その後端部に支持体を一体成形により連設していることを特徴とする。
これらの構成であっても、支持体に作用する荷重を有効に支持できる。
さらに、これらの構成を採用した場合に、支柱を、必要な強度を損なうことなく簡単、安価に構成し、同時に付加価値も高めるためには、内面側に開口しその開口部に内向折曲片を有してなる外折曲部材と、面板部の両縁に外向折曲片を有しその外向折曲片を前記内向折曲片の内面側に剛接してなる内折曲部材とから構成し、これら外折曲部材の内向折曲片と内折曲部材の面板部との間に上下方向に延びる配線挿通用の凹部を形成しておくことが望ましい。
【００１０】
【実施例】
以下、本発明の一実施例を、図面を参照して説明する。
【００１１】
この机は、図１から図３に示すように、左右の脚体１の天板受け部材たるステー１３に天板２の左右両側縁の下面を添設させて支持するようにしたものである。
【００１２】
詳述すると、脚体１は、前後端をアジャスタ１１ａに支持されたベース１１と、このベース１１の後端側より立設する支柱１２と、この支柱１２の上端より前方に向かって前記ベース１１と略平行に延出しその上面１３ａを天板載置面として設定されたステー１３とを具備してなる。
【００１３】
支柱１２は、スチール等の板金素材を折曲加工することにより中空剛体として構成されてなるもので、具体的には、図４及び図５に示すように、支柱１２の外形の大半を形成しその一部の開口から内面側に向かって内向折曲片１６ａを延出させてなる外折曲部材１６と、面板部１７ａの両縁に外向折曲片１７ｂを有しその外向折曲片１７ｂを前記内向折曲片１６ａの内面に剛接してなる内折曲部材１７とを具備してなるもので、これら外折曲部材１６の内向折曲片１６ａ及び内折曲部材１７の面板部１７ａの間に上下方向に延びる配線挿通用の凹部１０を形成している。そして、この支柱１２の下端近傍の内面及び上端近傍の内面に、図４から図６に示すように上面にナット部材１８ａを固設した下連結板１８及び下面にナット部材１９ａを固設した上連結板１９をそれぞれ溶接継手１８ｃ、１９ｃを介して剛接している。なお、図３において符号ｐで示す箇所は外折曲部材１６と内折曲部材１７の間を剛接しているスポット溶接部である。これに対して、ベース１１及びステー１３は、アルミダイキャスト製の一体成形体であり、ベース１１の上面には支柱１２の断面形状に合致する平面形状の台座１１ａが突設され、ステー１３の下面には配線挿通用の凹部１０以外の部位において支柱１２の断面形状に合致する底面形状の台座１３ｘが垂下している。そして、ベース１１内に設けた挿通孔１１ｂに下方から挿通したねじ１１ｃを支柱１２内の下連結板１８のナット部材１８ａに締着し、ステー１３内に設けた挿通孔１３ｂに上方から挿通したねじ１３ｃを支柱１２内の上連結板１９の取付孔１９ａに締着して、ベース１１、支柱１２及びステー１３を相互に強連結している。なお、１１ｆ、１３ｆはベース１１又はステー１３から突出して支柱１２の内周に嵌まり込む位置決め用の突起である。
【００１４】
ところで、本実施例は前記ステー１３を一体成形する際、その後端部より内側に向けて連結用の突起部１４を一体突設しており、これらの突起部１４に角パイプ状の連結部材１５の左右両端部を外嵌して、左右の脚体１の間を門形に連結している。この突起１４には、下面に図７に示すような横断面Ｖ字状の溝１４ａが凹設してあり、対応する連結部材１５の端部近傍の底壁内面には前記溝１４ａに対応する突条１５ａが設けてあって、連結部材１５の端部を突起部１４に外嵌した際、これらの溝１４ａ及び突条１５ａがテーパ係合するようになっている。
【００１５】
また、前記ステー１３の後方には、図２、図４及び図６に示すように棚等のオプション部材を取り付けるためのアルミダイキャスト製の支持体３が配設され、この支持体３と前記ステー１２との間に配線空間Ｓを形成している。この支持体３を取り付けるにあたり、前記支柱１２の背壁１２ｙの内面にはナット３１ａを固設してなる取付板３１が剛接してあり、支持体３の基端３ａを支柱１２の背壁１２ｙに添設させた状態で支持体３の基端３ａに設けた孔３２にねじ３３を挿通し、支柱１２を貫通した位置で前記ナット３１ａに螺着することにより、支持体３に作用する荷重を中空剛体である支柱１２に支持させるようにしている。
【００１６】
以上のような構成において、本実施例は更に、図２に示すようにステー１３の天板載置面１３ａにおける後端側の２箇所に、天板取付用の段付ピン１３ｅを装着する孔１３ｄ１、１３ｄ２を設けており、また前端側の２箇所に上下方向に貫通するねじ挿通孔１３ｃ１、１３ｃ２を同一ピッチで設けている。
【００１７】
一方、図１に示す天板２は、その下面における前記脚体１の孔１３ｄ１（１３ｄ２）及びねじ挿通孔１３ｃ１（１３ｃ２）に対応する位置に達磨孔２１及びねじ孔２２を有している。そして、先ず達磨孔２１の大径部に孔１３ｄ１、１３ｄ２の何れかに装着した段付きピン１３ｅを挿通することにより天板１の後端側を先にステー１３に係合させた後、天板２を前方にスライドさせ、ねじ孔２２をねじ挿通孔１３ｃ１又は１３ｃ２に合致させた状態で、ステー１３の下方からねじ挿通孔１３ｃに挿通した図示しないねじを天板２のねじ孔２２に螺着することにより、天板２を脚体１に取り付けるようにしている。
【００１８】
この場合、段付きピン１３ｅを後端側の孔１３ｄ１に装着して天板２の達磨孔２１を係合させた場合には天板２を図１に示す正規の取付位置に取り付けることができるが、段付きピン１３ｅを前端側の孔１３ｄ２に装着して天板２の達磨孔２１を係合させた場合には天板２を図９に示す前端側へ偏位した取付位置に取り付けることができるようにしている。このため、天板２の後端２ａ側に補助天板２Ｘを取り付ければ、天板面を有効に拡張することができる。
【００１９】
以上のようにして、本実施例の机は、従来より構造体の一部を構成する要素部品として不可欠であったアウターパネルを必須の構成要素としないものになり、また、天板２とステー１を必要以上に高い剛性で強連結することも不要になる。このため、図示のようにアウターパネルを撤去して下肢空間を広く開放することができ、また、天板２とステー１３の間に簡易な着脱構造を採用してねじの脱着だけで天板２の装着位置の変更を簡単に行うことが可能となる。
【００２０】
また、本実施例は、ステー１３の後方にオプション取付用の支持体３を配設し、この支持体３と前記ステー１３との間に配線空間Ｓを形成しているため、支持体３を介して支柱１２に高荷重が大きな回動モーメントになって作用するが、本実施例は支柱１２を中空剛体とし、この支柱１２の背壁１２ｙの内面に取付板３１を剛接して支持体３の基端３ａを連結しているため、支持体３を介して棚等のオプション部材を的確に支持することが可能となる。
【００２１】
さらに、支柱１２を、外折曲部材１６と内折曲部材１７から構成し、これら両折曲部材１６、１７によって中空剛体を構成するとともに、両折曲部材１６、１７により配線挿通用の凹部１０を構成しているため、支柱１２をアルミダイキャスト等で作らずとも天板荷重や棚等のオプション部材の荷重を有効な強度をもって支持することができる。しかも、配線挿通用の凹部１０を利用して床から立ち上げた配線を好適に配線空間Ｓに導くことができるので、机としての付加価値も有効に高めることが可能となる。
【００２２】
なお、各部の具体的な構成は、上述した実施例のみに限定されるものではなく、本発明の趣旨を逸脱しない範囲で種々変形が可能である。例えば、図１０に示すように中空剛体である支柱１２にステー１３の後端部１３ｙを嵌入して背壁１２ｙの内面に添設させ、その後端部１２ｙに背壁１２ｙを貫通した支持体３の基端３ａを連結するようにしても、棚荷重等を有効に支持することができる。
【００２３】
また、図１１に示すように、ステー１３の後端部１３ｙを支柱１２の背壁１２ｙの外面に沿って垂下させ、その後端部１３ｙに支持体３を一体成形により連設しても勿論構わない。
【００２４】
さらに、本発明はアウターパネルやインナーパネルを取り付けること、あるいは天板を天板受け部材に強連結する事を妨げるものでないのは言うまでもない。
【００２５】
【発明の効果】
本発明は、以上説明したような形態で実施され、以下に記載される効果を奏する。
【００２６】
すなわち、本発明の机は、天板受け部材の後方にオプション取付用の支持体を配設し、この支持体と前記天板受け部材との間に配線空間を形成している場合に、この支柱の背壁内面に取付板を剛接して、この取付板に支持体の基端を連結したり、支柱を中空剛体とし、前記天板受け部材の後端部を支柱に嵌入して背壁内面に添設させ、その後端部に支柱の背壁を貫通して支持体の基端を連結したり、更には、天板受け部材の後端部を支柱の背壁の外面に沿って垂下させ、その後端部に支持体を一体成形により連設する等の構成を採用しているので、支持体に作用する荷重を有効に支持することが可能となる。
【００２７】
さらに、支柱を、内面側に開口しその開口部に内向折曲片を有してなる外折曲部材と、面板部の両縁に外向折曲片を有しその外向折曲片を前記内向折曲片の内面側に剛接してなる内折曲部材とから構成し、これら外折曲部材の内向折曲片と内折曲部材の面板部との間に上下方向に延びる配線挿通用の凹部を形成しておくようにすれば、支柱を、必要な強度を損なうことなく簡単、安価に構成し、同時に配線機能も有効に付与することが可能となる。
【図面の簡単な説明】
【図１】本発明の一実施例を示す斜視図。
【図２】同分解斜視図。
【図３】同縦断面図。
【図４】同分解斜視図。
【図５】同実施例の支柱構造を示す平面図。
【図６】同実施例の支柱部分における側断面図。
【図７】同実施例の突起部と連結部材のテーパ係合部分を示す断面図。
【図８】同実施例の一部破断した正面図。
【図９】同実施例における他の天板取付状態を示す斜視図。
【図１０】本発明の他の実施例を示す側面図。
【図１１】本発明の更に他の実施例を示す側断面図。
【符号の説明】
２…天板
３…支持体
１０…凹部
１２…支柱
１２ｙ…背壁
１３…天板受け部材（ステー）
１４…突起部
１５…連結部材
１６…外折曲部材
１６ａ…内向折曲片
１７…内折曲部材
１７ａ…外向折曲片
Ｓ…配線空間
【図１】
0003810655.tif 000002
【図２】
0003810655.tif 000003
【図３】
0003810655.tif 000004
【図４】
0003810655.tif 000005
【図５】
0003810655.tif 000006
【図６】
0003810655.tif 000007
【図７】
0003810655.tif 000008
【図８】
0003810655.tif 000009
【図９】
0003810655.tif 000010
【図１０】
0003810655.tif 000011
【図１１】
0003810655.tif 000012